(57)【特許請求の範囲】
【請求項１】
通話時に、受話音声の音量に比例して振動し、該振動を通話内容の付加情報として当該携帯者に報知する振動機能を有する電子機器における表示スクリーンの振動構造であって、
前記表示スクリーンはクッションを介して筐体に保持されることにより前記電子機器の前記筐体から縁切りされて設けられ、起振モータが前記表示スクリーンに保持されていることを特徴とする、電子機器における表示スクリーンの振動構造。
【請求項２】
前記表示スクリーンは、前記筐体の外側から取り付けられていることを特徴とする請求項１に記載の、電子機器における表示スクリーンの振動構造。
【請求項３】
前記表示スクリーンは、前記筐体の内側から取り付けられていることを特徴とする請求項１に記載の、電子機器における表示スクリーンの振動構造。
【請求項４】
前記表示スクリーンは、クッションを介して前記筐体内部の部品に保持されることを特徴とする請求項３に記載の、電子機器における表示スクリーンの振動構造。
【請求項５】
前記起振モータの固有振動数は、前記クッションを介して前記筐体又は前記筐体内部の部品に保持されている前記表示スクリーンの共振周波数であることを特徴とする請求項１乃至４のいずれかに記載の、電子機器における表示スクリーンの振動構造。
【請求項６】
固定された前記表示スクリーンが前記筐体と面一になるように、表示スクリーン受けが断面Ｌ字状に形成されていることを特徴とする請求項１乃至５のいずれかに記載の、電子機器における表示スクリーンの振動構造。
【請求項７】
前記起振モータを保持する前記表示スクリーンの保持部は、内部方向に突出し且つ下端部が前記起振モータと同じ曲率となるように断面円弧状に形成されていることを特徴とする請求項１乃至６のいずれかに記載の、電子機器における表示スクリーンの振動構造。
【発明の詳細な説明】
【０００１】
【発明の属する技術分野】
本発明は、携帯可能な電子機器において、あらかじめ設定された着信、受信または時刻等の状況を当該携帯者へ振動により報知する手段および携帯電話における通話時の振動を利用した情報の伝達手段に関するものである。
【０００２】
【従来の技術】
従来一般技術例を図４に示す。
【０００３】
従来の電子機器４５における報知振動を目的とした起振モータの取り付け構造は、機器筐体４６の内部の電子回路部４７上に起振モータ４８を設置するものである。図４での起振モータ４８と電子回路部４７との取り付けは、ホルダー４９を用いている。
【０００４】
起振モータ４８が取り付けられた電子回路部４７は、機器筐体４６へ強固に取り付けられ、起振モータ４８が回転、振動すると、電子回路部４７、機器筐体４６と振動が伝播し電子機器４５全体が振動する。
【０００５】
電子機器全体が振動する場合、その振動系は機器全体とその機器の拘束条件からなりその振動モードは、機器の携帯、保持手段により異なる。
【０００６】
これは、手で保持した状態、ストラップで釣り下げられた状態、バックに収納された状態では、機器の拘束箇所、拘束程度は全て異なるためである。
【０００７】
この為、機器全体の振動での振動モードは唯一に決定できなく、その振動を確実に共振させることは不可能である。
【０００８】
これに対して、図５に示す特開平１０−０６６２９１号公報記載の発明では、起振モータ５０と筐体５１を含む機器全体との結合を弾性を有する柔らかな素材で形成された起振モータ保持具５２で行い、起振モータ保持具５２の接触部５３を筐体開口部５４から露出させ、起振モータ５０から発生する振動を接触部５３が筐体外部へ直接伝達する構造を取っている。
【０００９】
この特開平１０−０６６２９１号公報記載の構造ならば、筐体を含む機器全体を固定系とした、起振モータおよび保持具の振動モードを唯一に決定でき、起振モータと保持具との振動を共振させるのは容易である。
【００１０】
【発明が解決しようとする課題】
しかし、この構造では、携帯電話の通話時に振動を音声以外の通話情報の伝達手段として用いるのに適していない。これは、通話時に携帯者の耳および顔面と相対する機器の面上に、筐体開口部および起振モータ保持具接触部を設ける場合、通常、相対する機器の面の広範囲を表示スクリーンと押下ボタンとで占められるため、接触部と顔面との接触面は点状にならざるをえないからである。また、点状の接触面からの振動を通話時に耳、顔面で受けるのは不快であり、通話での音声以外の伝達手段としては当該携帯者の好感を得ることはできないからである。
【００１１】
通話時の振動を従来一般技術の機器全体での振動とする場合、携帯電話を保持している手にも振動は伝達されることから、例えば音声および振動が耳または顔面のみに限定される場合に比べ、携帯電話の存在感が強調されやすく通話の臨場感がより少ないものとなる。
【００１２】
本発明は斯かる問題点を鑑みてなされたものであり、その目的とするところは、通話時にＬＣＤその他の表示手段から振動を伝達可能な、電子機器における表示スクリーンの振動構造を提供する点にある。
【００１３】
【課題を解決するための手段】
本発明は上記課題を解決すべく、以下に掲げる構成とした。
請求項１記載の発明の要旨は、
通話時に、受話音声の音量に比例して振動し、該振動を通話内容の付加情報として当該携帯者に報知する振動機能を有する電子機器における表示スクリーンの振動構造であって、前記表示スクリーンはクッションを介して筐体に保持されることにより前記電子機器の前記筐体から縁切りされて設けられ、起振モータが前記表示スクリーンに保持されていることを特徴とする、電子機器における表示スクリーンの振動構造に存する。
請求項２記載の発明の要旨は、前記表示スクリーンは、前記筐体の外側から取り付けられていることを特徴とする請求項１に記載の、電子機器における表示スクリーンの振動構造に存する。
請求項３記載の発明の要旨は、前記表示スクリーンは、前記筐体の内側から取り付けられていることを特徴とする請求項１に記載の、電子機器における表示スクリーンの振動構造に存する。
請求項４記載の発明の要旨は、前記表示スクリーンは、クッションを介して前記筐体内部の部品に保持されることを特徴とする請求項３に記載の、電子機器における表示スクリーンの振動構造に存する。
請求項５記載の発明の要旨は、前記起振モータの固有振動数は、前記クッションを介して前記筐体又は前記筐体内部の部品に保持されている前記表示スクリーンの共振周波数であることを特徴とする請求項１乃至４のいずれかに記載の、電子機器における表示スクリーンの振動構造に存する。
請求項６記載の発明の要旨は、固定された前記表示スクリーンが前記筐体と面一になるように、表示スクリーン受けが断面Ｌ字状に形成されていることを特徴とする請求項１乃至５のいずれかに記載の、電子機器における表示スクリーンの振動構造に存する。
請求項７記載の発明の要旨は、前記起振モータを保持する前記表示スクリーンの保持部は、内部方向に突出し且つ下端部が前記起振モータと同じ曲率となるように断面円弧状に形成されていることを特徴とする請求項１乃至６のいずれかに記載の、電子機器における表示スクリーンの振動構造に存する。
【００１４】
すなわち、電子機器全体の振動ではなく、表示ＬＣＤの保護を目的とする表示スクリーンのみを振動させることを特徴とするものである。
【００１５】
【発明の実施の形態】
以下、本発明の実施の形態を図面に基づいて詳細に説明する。
【００１６】
（実施の形態１）
本発明の実施の形態１に係る電子機器を図１に示す。図１は分解図である。
【００１７】
本実施の形態１は主に携帯可能な電子機器、特に携帯電話を対象としている。
【００１８】
携帯電話（電子機器）１には、通信、操作情報等を視覚表示するためのＬＣＤ２と、ＬＣＤ２を携帯電話１の外部からの負荷、擦過、粉塵より保護することを目的とした表示スクリーン３とを備える。
【００１９】
表示スクリーン外面４は筐体５より露出しており、筐体５の内部に設置するＬＣＤ２を外部より視認可能とする透明窓６を有する。
【００２０】
筐体５の形状は、当該携帯者の手による携帯電話１の保持、通話時における携帯電話１の耳および顔面への密着の際、表示スクリーン外面４と携帯者の身体表面との接触を妨げるものではないとする。
【００２１】
表示スクリーン３と筐体５との間には可撓性を持つクッション７があり、表示スクリーン３は、クッション７を介して筐体５に保持される。
【００２２】
可撓性クッション７の圧縮、膨張により表示スクリーン３は筐体５に対して表示スクリーン板厚方向８の相対移動を可能とする。
【００２３】
表示スクリーン３の筐体内側９となる部分には起振モータ１０の保持部１１があり、起振モータ１０は表示スクリーン３に取り付けられる。
【００２４】
携帯電話１は、あらかじめ設定された当該携帯者への振動による報知および振動を伝達する状況が発生すると、起振モータ１０は電子回路部１２から起動電圧を受け振動する。
【００２５】
起振モータ１０を振動源とする携帯電話１の振動系は、表示スクリーン３および起振モータ１０、クッション７、筐体５を含むその他全体の３要素からなり、筐体５を固定系として見た場合、表示スクリーン３は表示スクリーン板厚方向８の振動をする。
【００２６】
当該携帯者は表示スクリーン外面４からの振動を感知し、携帯電話１からの情報を認識する。
【００２７】
以下に本実施の形態１に係る、表示スクリーン３の振動構造を述べる。
【００２８】
図１は、本実施の形態１電子機器の一例の分解図を、図２は図１の白抜き矢印１９方向の断面図を示す。
【００２９】
筐体５のＬＣＤ表示面１３と相対する位置には、機器内側に凹んだ表示スクリーン受け面１４があり、表示スクリーン受け面１４には、ＬＣＤ２を視認可能とする開口部１５がある。
【００３０】
表示スクリーン３は筐体５の外側から表示スクリーン受け面１４に実装され、表示スクリーン内面１６と表示スクリーン受け面１４との間に可撓性を持つクッション７が挿入される。
【００３１】
クッション７の両面は粘着性を有し、筐体５の表示スクリーン受け面１４とクッション７およびクッション７と表示スクリーン内面１６とは貼付される。
【００３２】
これにより、表示スクリーン３はクッション７を介し筐体５に保持される。
【００３３】
表示スクリーン受け面１４の外周壁１７と表示スクリーン外周の板厚面１８との間には、クッション７が表示スクリーン平面方向１９に撓んだとしても、外周壁１７と表示スクリーン板厚面１８とが容易に接触しない程度の隙間２０を有する。
【００３４】
表示スクリーン外面４と表示スクリーン受け面１４の周囲の筐体外面２１との板厚方向８の位置関係は、表示スクリーン３の振動時の最外位置で、表示スクリーン外面４が、当該携帯者または携帯電話１を収納している周囲に十分に振動を伝達できるだけの突出となるものとする。
【００３５】
表示スクリーン３にはクッション７を隠蔽するため非透明枠２２が存在し、その内側範囲がＬＣＤ表示面１３を視認する透明窓６となる。
【００３６】
表示スクリーン内面１６には、起振モータ１０を表示スクリーン３に取り付ける保持部１１があり、保持部１１と表示スクリーン受け面１４およびクッション７とが干渉しないよう、その一部に切欠２３が設けられている。
【００３７】
起振モータ１０と表示スクリーン３との保持方向は、起振モータ１０の回転軸２４が表示スクリーン本体の平面方向１９と平行になるものである。
【００３８】
図１，２は一例として、表示スクリーン３を起振させる起振モータ１０のＵ字形をした保持部１１、両面に粘着性を持つモータ保持材２５からなる起振モータ保持構造を示す。
【００３９】
起振モータ１０からはリード線２６が伸び、装置内部の電子回路部１２とコネクター２７により電気的に接続される。
【００４０】
次に、携帯電話１の動作について説明する。
【００４１】
携帯電話１は、あらかじめ設定された当該携帯者への振動による報知および振動を伝達する状況が発生すると、起振モータ１０は電子回路部１２から起動電圧を受け振動を開始する。
【００４２】
起振モータ１０は回転軸先端の偏心錘の回転により、回転軸２４に対する垂面方向の振動を発生させるものである。
【００４３】
表示スクリーン３に伝播された振動の筐体５への伝播は、クッション７の可撓性から微少であり、携帯電話１全体の振動の形態は、筐体５を含むその他全体を固定系、表示スクリーン３および起振モータ１０を運動系、この固定系と運動系との間を可撓性クッション７が介していると見ることができる。
【００４４】
表示スクリーン３は起振モータ１０から伝播される振動により振動を開始するが、その振動モードは、表示スクリーン３および起振モータ１０の質量、可撓性クッション７の弾性拘束および起振モータ１０からの振動数から決定される。
【００４５】
この振動モードは、起振モータ１０の表示スクリーン３への取り付け方向、クッション７の可撓性から、概略表示スクリーン板厚方向８の振動となる。
【００４６】
表示スクリーン３は筐体５に対し相対的に表示スクリーン板厚方向８へ振動し、表示スクリーン外面４と接触している携帯電話１の外部へ振動を与える。
【００４７】
携帯電話１の携帯者は、その身体表面へ直接、または衣服、携帯電話１を収納しているものから間接的に振動を受け振動を感知する。振動の感知により、携帯者は設定状況の発生を認識する。
【００４８】
また、携帯電話１の通話時の、例えば、受信音声の音量に比例する振動の感知により、音声以外の付加情報を認識する。また、特定時間、例えば午前９時、１２時、１５時等に振動させることができる。また、設定した時間に振動させて、電車の乗り越し、会議時間の超過等を知らせることもできる。
【００４９】
実施の形態に係る、電子機器における表示スクリーンの振動構造は上記の如く構成されているので、以下に掲げる効果を奏する。
【００５０】
上記のごとく、携帯電話１から当該携帯者への報知手段として振動を用いるが、その振動をする箇所を表示スクリーン３に限定するものである。
【００５１】
報知手段としての振動を従来一般の機器全体での振動ではなく、機器の一部に限定する理由を述べる。
【００５２】
表示スクリーン３に振動を限定する振動系は、振動系の構成要素である表示スクリーン３、クッション７、筐体５を含むその他の機器全体および振動源である起振モータを正確に把握でき、設計上、その振動モードを任意に設定可能とする。
【００５３】
この振動系に携帯電話１の外部要因は入っていなく、機器の保持、収納状態に関係なく、唯一に決まるものである。
【００５４】
従って、表示スクリーン３の振動モードを例えば、共振モードにさせることも設計上容易であり、携帯電話１の使用状態に関係なく設計振動モードでの作動を維持できる。
【００５５】
振動モードの設定の手段としては、クッション７の硬度は全箇所で同一にしなく、位置によりその硬度を変えることにより可能である。
【００５６】
共振現象を通常の機器では忌み嫌うが、振動を報知手段とする構造での共振現象は、報知振動量の増加、起振モータ消費電力の低減を可能とする。
【００５７】
次に振動をさせる機器の一部に表示スクリーン３を選択した理由を述べる。
【００５８】
表示スクリーン３は、機能および意匠の関係から携帯電話１の中央付近に存在し、押下ボタンの誤作動防止、機器のグリップ性との兼ね合いから、比較的突出した形状となる。
【００５９】
これから、筐体５の外表面の全範囲のなかで表示スクリーン３の外面での振動は、携帯者への振動伝達の効率が良い。
【００６０】
また、表示スクリーン３はその位置から通話時に携帯者の耳および顔面と密着する。
【００６１】
これを利用し、通話時に表示スクリーン３を振動させ、その振動を通話内容の付加情報として利用できる。
【００６２】
例えば、受信音声の音量に比例した振動をさせると、耳および顔面の限定された箇所で音声および振動を感知し、通話での臨場感を高めることができる。
【００６３】
また、表示スクリーン３振動を会話のアクセントとして用いて、通話における交換情報の範囲を拡大できる。
【００６４】
さらに、表示スクリーン３は既に存在する部品であり、また、その目的から削除されることはなく、これを起振モータの保持部材として使用することにより部品点数の増加を防げる。
【００６５】
（実施の形態２）
本発明の実施の形態２に係る電子機器を図３に示す。
【００６６】
先に図１、２で示した実施の形態のレイアウトは、機器外側より表示スクリーン、クッション、表示スクリーン受け面となるが、筐体２８、クッション２９、表示スクリーン３０の順にすることも可能である。
【００６７】
筐体２８のＬＣＤ表示面３１と相対する位置には開口部３２がある。
【００６８】
表示スクリーン外面３３の形状は、筐体開口部３２との間に隙間３４が生じるもので、その外周には、装置内側に凹んだ段差となるツバ３５を有する。
【００６９】
表示スクリーン３０は筐体内側から実装され、表示スクリーン外面３３は筐体開口部３２より露出し、ツバ３５の外周縁は筐体開口部３２より大きく、ツバ外面３６と筐体内面３７と間に可撓性を持つクッション２９が挿入される。
【００７０】
クッション２９の両面に粘着性を有し、筐体内面３７とクッション２９、クッション２９とツバ外面３６とは貼付され、表示スクリーン３０は筐体２８に保持される。
【００７１】
表示スクリーン外面３３の板厚面と筐体開口部３２の板厚面との隙間３４、表示スクリーン外面３３と周囲の筐体２８外面との板厚方向の位置関係は、前記実施の形態と同様である。
【００７２】
本実施の形態では、表示スクリーン３０の筐体内部へ押下による沈み込みを防止するため、ツバ内面３８とＬＣＤを電子回路部３９に取り付けるＬＣＤフレーム４０等との間に可撓性を持つクッション４１を挿入する必要がある。
【００７３】
表示スクリーン３０は、筐体２８との間にクッション２９、ＬＣＤフレーム４０との間にクッション４１が挿入され、両部材とも可撓性を持ち、表示スクリーン３０の板厚方向への移動を完全に拘束するものではない。
【００７４】
表示スクリーン内面４２には、起振モータ４３を保持する保持部４４を有し、この保持部４４に保持材により起振モータ４３が回転軸を表示スクリーン平面方向と平行となる方向で取り付けられる。
【００７５】
起振モータからはリード線が伸び、装置内部の電子回路部とコネクターにより電気的に接続される。
【００７６】
実施の形態２においても実施の形態１と同様の効果を得ることができる。
【００７７】
なお、本実施の形態においては携帯電話に適用したが、本発明はそれに限定されず、例えば、所謂ＰＨＳ、ポケットベル、その他の電子情報端末等、本発明を適用する上で好適な電子機器に適用することができる。
【００７８】
また、上記構成部材の数、位置、形状等は上記実施の形態に限定されず、本発明を実施する上で好適な数、位置、形状等にすることができる。
【００７９】
なお、各図において、同一構成要素には同一符号を付している。
【００８０】
【発明の効果】
本発明は以上のように構成されているので、通話時にＬＣＤその他の表示手段から振動を伝達することを防止できる。
【図面の簡単な説明】
【図１】本発明の実施の形態に係る電子機器の分解斜視図である。
【図２】図１に示す矢印１９に沿った断面図である。
【図３】本発明の他の実施の形態に係る電子機器の、図２と同一方向の断面図である。
【図４】従来技術に係る実施の形態電子機器の一部破断の斜視図である。
【図５】特開平１０−０６６２９１に係る振動構造の分解斜視図である。
【符号の説明】
１  携帯電話（電子機器）
２  ＬＣＤ
３  表示スクリーン
４  表示スクリーン外面
５  筐体
６  透明窓
７  クッション
８  表示スクリーン板厚方向
９  筐体内側
１０  起振モータ
１１  保持部
１２  電子回路部
１３  ＬＣＤ表示面
１４  表示スクリーン受け面
１５  開口部
１６  表示スクリーン内面
１７  外周壁
１８  表示スクリーン板厚面
１９  表示スクリーン平面方向
２０  隙間
２１  筐体外面
２２  非透明枠
２３  切欠
２４  回転軸
２５  モータ保持材
２６  リード線
２７  コネクター
２８  筐体
２９  クッション
３０  表示スクリーン
３１  ＬＣＤ表示面
３２  開口部
３３  表示スクリーン外面
３４  隙間
３５  ツバ
３６  ツバ外面
３７  筐体内面
３８  ツバ内面
３９  電子回路部
４０  ＬＣＤフレーム
４１  クッション
４２  表示スクリーン内面
４３  起振モータ
４４  保持部
４５  電子機器
４６  機器筐体
４７  電子回路部
４８  起振モータ
４９  ホルダー
５０  起振モータ
５１  筐体
５２  起振モータ保持具
５３  接触部
５４  筐体開口部
【図１】
0003792443.tif 000002
【図２】
0003792443.tif 000003
【図３】
0003792443.tif 000004
【図４】
0003792443.tif 000005
【図５】
0003792443.tif 000006